(57)【要約】【課題】取り付け対象へ取り付けるため取り付け部を備えるとともに防水性能を維持することができる防水ジャックを提供する。【解決手段】一対の側壁部１１ｃ、１１ｄを有し上側に上側開放部１１ｂを有する下側ハウジング１１と上側開放部１１ｂを塞ぐように取り付けられる上側カバー１２とからなり、挿入されるプラグを収納可能な収納空間１ｂを形成する合成樹脂製の一体ケース１０と、下側ハウジング１１の外部に露出する外端部３ｄ、側壁部１１ｃ、１１ｄに埋設される中間埋設部、および内部に露出する内端部３ｂからなる導電端子３と、を備え、インサート成型により下側ハウジング１１を形成するとともに導電端子３の中間埋設部を下側ハウジング１１に保持させてなる防水ジャック１であって、一体ケース１０には、取り付け対象へ取り付けるための取り付け部８が設けられており、取り付け部８は、上側カバー１２から一体ケース１０の側方に延設されてなる。【選択図】図２
2016018599.tif 000002
【特許請求の範囲】
【請求項１】
底部および前記底部から上方に立設される一対の側壁部を有し上側に上側開放部を有する下側ハウジングと前記上側開放部を塞ぐように前記下側ハウジングの上側に取り付けられる上側カバーとからなり、前側から後側に向かって挿入されるプラグを収納可能な収納空間を形成する合成樹脂製の一体ケースと、
前記下側ハウジングの外部に露出する外端部、前記外端部から延設され前記下側ハウジングの前記側壁部に埋設される中間埋設部、前記中間埋設部の端部から延設され前記下側ハウジングの内部に露出する内端部からなる導電端子と、を備え、
インサート成型により前記下側ハウジングを形成するとともに前記導電端子の前記中間埋設部を前記下側ハウジングに保持させてなる防水ジャックであって、
前記一体ケースには、取り付け対象へ取り付けるための取り付け部が設けられており、
前記取り付け部は、前記上側カバーから前記一体ケースの側方に延設されてなることを特徴とする防水ジャック。
【請求項２】
前記取り付け部は、前記上側カバーの側部から前記側壁部の外壁面に沿って下方に延設された第１延設部と、前記第１延設部から側方に延設された第２延設部と、からなることを特徴とする請求項１に記載の防水ジャック。
【請求項３】
前記取り付け部は、前記一体ケースの一側方に設けられた一方の取り付け部および前記一体ケースを挟んで他側方に設けられた他方の取り付け部からなり、
前記一方の取り付け部における前記第１延設部と前記他方の取り付け部における前記第１延設部との間隔は、一対の前記側壁部における前記外壁面同士の間隔と等しいことを特徴とする請求項２に記載の防水ジャック。
【請求項４】
前記取り付け部は、前記一体ケースの側方から見て前記導電端子の前記中間埋設部と重なる位置に設けられたことを特徴とする請求項１乃至請求項３のいずれかに記載の防水ジャック。
【請求項５】
前記下側ハウジングと前記上側カバーとを溶着により取り付けて、前記プラグを前側から挿入するための前側開口を除き前記収納空間が密閉されていることを特徴とする請求項１乃至請求項４のいずれかに記載の防水ジャック。
【発明の詳細な説明】
【技術分野】
【０００１】
本発明は、防水性を備えた防水ジャックに関する。
【背景技術】
【０００２】
スマートフォン等にはイヤホン等が差し込まれるジャックコネクタが備えられている。このようなジャックコネクタは、小型化が求められるとともに、防水性を備えることが求められている。
【０００３】
特許文献１には、プラグコネクタを安定に保持することができるジャック用コネクタが開示されている。図１１は、従来のジャック用コネクタ１００の斜視図であり、図１１（ａ）は上方から見た斜視図であり、図１１（ｂ）は下方から見た斜視図である。図１２はコンタクト１１４の斜視図である。図１３は、プラグコネクタが挿入される前のジャック用コネクタ１００の断面図である。
【０００４】
ジャック用コネクタ１００は、ハウジング１１２と５つのコンタクト１１４、１１６、１１８、１２０、１２２を備えている。ハウジング１１２は電気絶縁性のプラスチックであり、ハウジング１１２には、図１１（ａ）に示すように、プラグコネクタが挿入される嵌合孔１４６が設けられている。図１２に示すように、コンタクト１１４は、プラグコネクタと接触する接触部１３４とハウジング１１２に固定される固定部１３８と基板に接続する接続部１３６を有している。コンタクト１１６も、図１２に示すコンタクト１１４と同様である。
【０００５】
固定部１３８がハウジング１１２に固定されていることによって、プラグコネクタと接触部１３４との接触が安定する。そして、ジャック用コネクタ１００には、図１１および図１３に示すように、筐体や基板等の取り付け対象へ取り付けるための取り付け部１１３が延設されている。取り付け部１１３が固定されることによって、取り付けの位置決めがなされるとともに、基板と接続部１３６との接続を補強することができる。
【先行技術文献】
【特許文献】
【０００６】
【特許文献１】特開２００９−０４８９２２号公報
【発明の概要】
【発明が解決しようとする課題】
【０００７】
しかしながら、取り付け部１１３の基部付近は成型時の熱収縮が大きく、コンタクト１１４、１１６をインサート成型で埋設し防水性を持たせているものに適用すると、ハウジング１１２との隙間が発生し、防水性能が低下するという問題があった。
【０００８】
本発明は、上述した課題を解決するもので、取り付け対象へ取り付けるため取り付け部を備えるとともに防水性能を維持することができる防水ジャックを提供することを目的とする。
【課題を解決するための手段】
【０００９】
本発明の防水ジャックは、底部および前記底部から上方に立設される一対の側壁部を有し上側に上側開放部を有する下側ハウジングと前記上側開放部を塞ぐように前記下側ハウジングの上側に取り付けられる上側カバーとからなり、前側から後側に向かって挿入されるプラグを収納可能な収納空間を形成する合成樹脂製の一体ケースと、前記下側ハウジングの外部に露出する外端部、前記外端部から延設され前記下側ハウジングの前記側壁部に埋設される中間埋設部、前記中間埋設部の端部から延設され前記下側ハウジングの内部に露出する内端部からなる導電端子と、を備え、インサート成型により前記下側ハウジングを形成するとともに前記導電端子の前記中間埋設部を前記下側ハウジングに保持させてなる防水ジャックであって、前記一体ケースには、取り付け対象へ取り付けるための取り付け部が設けられており、前記取り付け部は、前記上側カバーから前記一体ケースの側方に延設されてなることを特徴とする。
【００１０】
この構成によれば、下側ハウジングには取り付け部がないので、それによる熱収縮が大きくなる部分がない。このため、導電端子との間の隙間の発生を抑えることができる。したがって、防水性能を維持することができる。
【００１１】
また、本発明の防水ジャックにおいて、前記取り付け部は、前記上側カバーの側部から前記側壁部の外壁面に沿って下方に延設された第１延設部と、前記第１延設部から側方に延設された第２延設部と、からなることを特徴とする。
【００１２】
この構成によれば、下方に延設される第１延設部を設けることにより、基板等の取り付け対象に対して上下方向における取り付け位置を適切に設定することができる。
【００１３】
また、上記の防水ジャックにおいて、前記取り付け部は、前記一体ケースの一側方に設けられた一方の取り付け部および前記一体ケースを挟んで他側方に設けられた他方の取り付け部からなり、前記一方の取り付け部における前記第１延設部と前記他方の取り付け部における前記第１延設部との間隔は、一対の前記側壁部における前記外壁面同士の間隔と等しいことが好適である。
【００１４】
この構成によれば、一方の取り付け部の第１延設部と他方の取り付け部の第１延設部を横方向における上側カバーの下側ハウジングに対する位置決め手段として利用することができる。
【００１５】
また、本発明の防水ジャックにおいて、前記取り付け部は、前記一体ケースの側方から見て前記導電端子の前記中間埋設部と重なる位置に設けられたことを特徴とする。
【００１６】
この構成によれば、下側ハウジングに取り付け部を設ける場合には、取り付け部の位置と中間埋設部の位置が一体ケースの側方から見て重ならないように設計を行う必要があった。しかし、上側カバーに取り付け部を設けることによって、取り付け部の位置と中間埋設部の位置を重ねられるので、設計の自由度を高めることができる。
【００１７】
本発明の防水ジャックにおいて、前記下側ハウジングと前記上側カバーとを溶着により取り付けて、前記プラグを前側から挿入するための前側開口を除き前記収納空間が密閉されていることを特徴とする。
【００１８】
この構成によれば、前側開口から収納空間に侵入した水が収納空間の外部に漏洩することがなく、基板等の取り付け対象の防水性能を高めることができる。
【発明の効果】
【００１９】
本発明によれば、取り付け対象へ取り付けるための取り付け部が上側カバーから延設されてなり、下側ハウジングには取り付け部がないので、それによる熱収縮が大きくなる部分がない。このため、導電端子との間の隙間の発生を抑えることができる。したがって、防水性能を維持することができる防水ジャックを提供することができる。
【図面の簡単な説明】
【００２０】
【図１】本発明の実施形態の防水ジャックを示す斜視図であり、弾性シールリングを取り付けた状態の斜視図である。
【図２】本発明の実施形態の防水ジャックを示す分解斜視図である。
【図３】本発明の実施形態の防水ジャックを示す斜視図であり、弾性シールリングを取り付けていない状態の斜視図である。
【図４】本発明の実施形態の防水ジャックを示す正面図であり、弾性シールリングを取り付けていない状態の正面図である。
【図５】本発明の実施形態の防水ジャックを示す平面図であり、弾性シールリングを取り付けた状態の平面図である。
【図６】斜め下方から見た防水ジャックを示す斜視図である。
【図７】図６の方向から見た導電端子を示す説明図である。
【図８】図４のＶＩＩＩ−ＶＩＩＩ線で切断した断面図である。
【図９】図５のＩＸ−ＩＸ線で切断した断面図である。
【図１０】異なる方向から見た上側カバーを示す斜視図である。
【図１１】従来のジャック用コネクタの斜視図であり、図１１（ａ）は上方から見た斜視図であり、図１１（ｂ）は下方から見た斜視図である。
【図１２】従来のジャック用コネクタにおけるコンタクトの斜視図である。
【図１３】プラグコネクタが挿入される前の従来のジャック用コネクタの断面図である。
【発明を実施するための形態】
【００２１】
［第１実施形態］
以下、本発明の実施の形態について図面を用いて詳細に説明する。なお、分かりやすいように、図面は寸法を適宜変更している。
【００２２】
図１は、本発明の実施形態の防水ジャック１を示す斜視図であり、弾性シールリング４を取り付けた状態の斜視図である。図２は、防水ジャック１を示す分解斜視図である。図３は、防水ジャック１を示す斜視図であり、弾性シールリング４を取り付けていない状態の斜視図である。図４は、防水ジャック１を示す正面図であり、弾性シールリング４を取り付けていない状態の正面図である。図５は、防水ジャック１を示す平面図であり、弾性シールリング４を取り付けた状態の平面図である。図６は、斜め下方から見た防水ジャック１を示す斜視図である。図７は、図６の方向から見た導電端子３を示す説明図である。図８は、図４のＶＩＩＩ−ＶＩＩＩ線で切断した断面図である。図９は、図５のＩＸ−ＩＸ線で切断した断面図である。図１０は、異なる方向から見た上側カバー１２を示す斜視図である。
【００２３】
本実施形態の防水ジャック１は、図１に示すように、下側ハウジング１１に上側カバー１２が取り付けられた合成樹脂製の一体ケース１０を備える。防水ジャック１は、この一体ケース１０の前側に下側ハウジング１１および上側カバー１２に圧接可能な弾性シールリング４が配置されて、図示しない電子機器に装着される。
【００２４】
なお、以下の説明においては、図１のＺ１側を上側、Ｚ２側を下側、Ｘ１側を左側、Ｘ２側を右側、Ｙ１側を前側、Ｙ２側を後側として記載している。これは説明を分かりやすくするためであり、防水ジャック１の使用時の方向を限定するものではない。
【００２５】
防水ジャック１は、一体ケース１０によって、前側から後側に向かって挿入されるプラグを収納可能な収納空間１ｂが形成されている。そして、プラグに弾接可能な導電端子３が、図２に示すように、下側ハウジング１１の内外を連通するように下側ハウジング１１に保持されている。また、取り付け対象へ取り付けるための取り付け部８が一体ケース１０に設けられている。さらに、一体ケース１０には補強部材４０が係止されている。
【００２６】
補強部材４０は、金属板の打ち抜き加工と折り曲げ加工によって、合成樹脂製の一体ケース１０を囲むように形成されている。補強部材４０は、図１に示すように、係止孔４０ｎが下側ハウジング１１に設けられた係止突起１１ｎに係止されている。
【００２７】
下側ハウジング１１は、絶縁性の合成樹脂を成形したものであり、図２に示すように、前側に前側開放部１１ａを有するとともに上側に上側開放部１１ｂを有する。下側ハウジング１１は、光吸収材料により形成されている。例えば、黒色に着色されたナイロン樹脂を使用することができる。ナイロン樹脂は、適度な加熱で成形することができ、また、ナイロン樹脂は着色用の顔料を多く含有している場合は光吸収性を有している。下側ハウジング１１は、底部１１ｆと底部１１ｆから上方に立設される一対の側壁部１１ｃ、１１ｄと側壁部１１ｃ、１１ｄの後側に立設される後壁部１１ｅとを有している。この側壁部１１ｃ、１１ｄおよび後壁部１１ｅには、係止突起１１ｎが設けられている。さらに、本実施形態の下側ハウジング１１は、前側に弾性シールリング４が圧接可能なハウジング側圧接面１１ｇを備えている。また、下側ハウジング１１は、図２に示すように、前側開放部１１ａを臨む前端部１１ｈがハウジング側圧接面１１ｇより前側に突出するように形成されている。前端部１１ｈの内側にハウジング側圧接面１１ｇを備え、さらにハウジング側圧接面１１ｇの内側に段差部１１ｋを備えている。段差部１１ｋには、段差面１１ｍが形成されている。
【００２８】
導電端子３は、導電性の金属で形成され、一体ケース１０（下側ハウジング１１）の内外を貫通している。導電端子３は、下側ハウジング１１の外部に露出する外端部３ｄ、外端部３ｄから延設された中間埋設部３ｃ、中間埋設部３ｃの端部から延設され下側ハウジング１１の内部に露出する内端部３ｂからなる（図８参照）。本実施形態の防水ジャック１は、図７に示すように、導電端子３の中間埋設部３ｃが下側ハウジング１１の側壁部１１ｃ、１１ｄに埋設されている。より具体的には、インサート成型により、下側ハウジング１１を形成するとともに導電端子３の中間埋設部３ｃを下側ハウジング１１に保持させてなる。これにより、導電端子３の中間埋設部３ｃと下側ハウジング１１とが密着している。
【００２９】
上側カバー１２は、絶縁性の合成樹脂を成形したものであり、溶着によって、上側開放部１１ｂを塞ぐように下側ハウジング１１の上側に密着して取り付けられる。上側カバー１２は、レーザ光を透過可能な光透過材料により形成されている。例えば、乳白色のナイロン樹脂を使用することができる。ナイロン樹脂は、適度な加熱で成形することができ、また、顔料を含有していない場合には乳白色で透光性を有している。上方からレーザ光を照射することによって、上側カバー１２をレーザ光が透過して、下側ハウジング１１の側壁部１１ｃ、１１ｄおよび後壁部１１ｅと上側カバー１２との当接面を溶着させることができる。
【００３０】
一方、収納空間１ｂには、図８および図９に示すように、上側カバー１２とは別体であって、下側ハウジング１１の上側から下側ハウジング１１内部に組付可能なインナー部材２０が配置されている。インナー部材２０は、絶縁性の合成樹脂で形成されている。例えば、上側カバー１２と同じように、乳白色のナイロン樹脂を使用することができる。
【００３１】
また、上側カバー１２は、上側カバー１２の前側から下方に一体に延設されたキャップ部１３を有している。さらに、図３および図４に示すように、キャップ部１３は、プラグを挿入可能な前側開口として挿入用開口部１ａが形成された環状部１３ａを備える。この環状部１３ａは、下側ハウジング１１の前側開放部１１ａの内側に収納可能な形状を有している。
【００３２】
上側カバー１２は、図２および図１０に示すように、弾性シールリング４が圧接可能なカバー側圧接面１２ｇを備えている。また、上側カバー１２は、カバー側圧接面１２ｇの外周側において、前端部１２ｈがカバー側圧接面１２ｇより前側に突出するように形成されている。
【００３３】
図４に示すように、弾性シールリング４を圧接可能な環状圧接面１ｇが、ハウジング側圧接面１１ｇとカバー側圧接面１２ｇとによって、挿入用開口部１ａを囲むように形成される。防水ジャック１は、挿入用開口部１ａを囲む環状圧接面１ｇに弾性シールリング４を取り付け可能となっている。防水ジャック１は、図示しない基板に実装された状態で、弾性シールリング４を押し付けるようにして電子機器に装着される。そして、プラグが挿入用開口部１ａから収納空間１ｂに挿入され、弾接可能な導電端子３の内端部３ｂにプラグの接続端子が弾接することによって、導電端子３を介して図示しない電子機器の電気回路に接続される。
【００３４】
下側ハウジング１１は、前側開放部１１ａを臨む前端部１１ｈの内側に段差部１１ｋを備えている。上側カバー１２は、段差部１１ｋに形成された段差面１１ｍに環状部１３ａが当接可能に対向している状態で、環状圧接面１ｇの位置まで連続して下側ハウジング１１の上側に密着して溶着されている。言い換えれば、環状圧接面１ｇでは上側カバー１２と下側ハウジング１１との境界が溶着されている。これにより、挿入用開口部１ａが形成された環状部１３ａを囲む環状圧接面１ｇに弾性シールリング４を取り付け、環状圧接面１ｇで水密に封止可能となる。
【００３５】
溶着により形成された一体ケース１０では、図８に示すように、プラグを前側から挿入するための挿入用開口部１ａが形成された環状部１３ａを除き収納空間１ｂが密閉されている。
【００３６】
さらに、上側カバー１２は、上側カバー１２から一体ケース１０の側方に延設された取り付け部８を有している。
【００３７】
図１〜図６に示すように、取り付け部８は、一体ケース１０の一側方に設けられた一方の取り付け部８ａおよび一体ケース１０を挟んで他側方に設けられた他方の取り付け部８ｂからなる。一方の取り付け部８ａは、上側カバー１２の側部から側壁部１１ｃの外壁面に沿って下方に延設された第１延設部８１ａと、第１延設部８１ａから側方に延設された第２延設部８２ａとからなる。他方の取り付け部８ｂは、上側カバー１２の側部から側壁部１１ｄの外壁面に沿って下方に延設された第１延設部８１ｂと、第１延設部８１ｂから側方に延設された第２延設部８２ｂとからなる。
【００３８】
防水ジャック１は、下方に延設される第１延設部８１ａ、８１ｂを設けることにより、上下方向における取り付け位置を任意の位置に設計可能である。このため、基板等の取り付け対象に対して上下方向における取り付け位置を適切に設定することができる。
【００３９】
また、図９に示すように、一方の取り付け部８ａにおける第１延設部８１ａと他方の取り付け部８ｂにおける第１延設部８１ｂとの間隔は、一対の側壁部１１ｃ、１１ｄにおける外壁面同士の間隔と等しい。言い換えると、一対の側壁部１１ｃ、１１ｄの外壁面同士を挟むようにして、その両側に第１延設部８１ａ、８１ｂが配置されている。
【００４０】
本実施形態の防水ジャック１は、下側ハウジング１１と上側カバー１２とを溶着により取り付けている。この溶着を行う工程では、一方の取り付け部８ａの第１延設部８１ａと他方の取り付け部８ｂの第１延設部８１ｂを横方向における上側カバー１２の下側ハウジング１１に対する位置決め手段として利用することができる。このため、横方向の位置決めを容易にすることができる。
【００４１】
また、図６および図７に示すように、取り付け部８は、一体ケース１０の側方から見て導電端子３の中間埋設部３ｃと重なる位置に設けられている。
【００４２】
従来、本実施形態と異なり、下側ハウジング１１に取り付け部を設ける場合には、取り付け部８の位置と中間埋設部３ｃの位置が一体ケース１０の側方から見て重ならないように設計を行う必要があった。これは、取り付け部の位置で肉厚になると、合成樹脂の成形で熱収縮が大きくなって、導電端子３との間で隙間が発生しやすいためである。
【００４３】
一方、本実施形態の防水ジャック１の下側ハウジング１１には取り付け部がないので、それによる熱収縮が大きくなる部分がない。このため、導電端子３との間の隙間の発生を抑えることができる。したがって、防水性能を維持することができる。また、上側カバー１２に取り付け部８を設けることによって、取り付け部８の位置と導電端子３の中間埋設部３ｃの位置とを重ねられるので、設計の自由度を高めることができる。したがって、従来より小型化することが容易となる。
【００４４】
以下、本実施形態としたことによる効果について説明する。
【００４５】
本実施形態の防水ジャック１は、合成樹脂製の一体ケース１０と、導電端子３と、を備え、インサート成型により下側ハウジング１１を形成するとともに導電端子３の中間埋設部３ｃを下側ハウジング１１に保持させてなる。一体ケース１０は、下側ハウジング１１と上側カバー１２とからなり、前側から後側に向かって挿入されるプラグを収納可能な収納空間１ｂを形成する。下側ハウジング１１は、底部１１ｆおよび底部１１ｆから上方に立設される一対の側壁部１１ｃ、１１ｄを有し、上側に上側開放部１１ｂを有する。上側カバー１２は、上側開放部１１ｂを塞ぐように下側ハウジング１１の上側に取り付けられる。導電端子３は、下側ハウジング１１の外部に露出する外端部３ｄ、外端部３ｄから延設され下側ハウジング１１の側壁部１１ｃ、１１ｄに埋設される中間埋設部３ｃ、中間埋設部３ｃの端部から延設され下側ハウジング１１の内部に露出する内端部３ｂからなる。そして、インサート成型により下側ハウジング１１を形成するとともに導電端子３の中間埋設部３ｃを下側ハウジング１１に保持させてなる。さらに、一体ケース１０には、取り付け対象へ取り付けるための取り付け部８が設けられており、取り付け部８は、上側カバー１２から一体ケース１０の側方に延設されてなる。
【００４６】
この構成によれば、下側ハウジング１１には取り付け部がないので、それによる熱収縮が大きくなる部分がない。このため、導電端子３との間の隙間の発生を抑えることができる。したがって、防水性能を維持することができる。
【００４７】
また、本実施形態の防水ジャック１において、取り付け部８は、上側カバー１２の側部から側壁部１１ｃ、１１ｄの外壁面に沿って下方に延設された第１延設部８１と、第１延設部８１から側方に延設された第２延設部８２とからなる。
【００４８】
この構成によれば、下方に延設される第１延設部８１を設けることにより、基板等の取り付け対象に対して上下方向における取り付け位置を適切に設定することができる。
【００４９】
また、上記の防水ジャック１において、取り付け部８は、一体ケース１０の一側方に設けられた一方の取り付け部８ａおよび一体ケース１０を挟んで他側方に設けられた他方の取り付け部８ｂからなる。そして、一方の取り付け部８ａにおける第１延設部８１ａと他方の取り付け部８ｂにおける第１延設部８１ｂとの間隔は、一対の側壁部１１ｃ、１１ｄにおける外壁面同士の間隔と等しい。
【００５０】
この構成によれば、一方の取り付け部８ａの第１延設部８１と他方の取り付け部８ｂの第１延設部８１を横方向における上側カバー１２の下側ハウジング１１に対する位置決め手段として利用することができる。
【００５１】
また、本実施形態の防水ジャック１において、取り付け部８は、一体ケース１０の側方から見て導電端子３の中間埋設部３ｃと重なる位置に設けられている。
【００５２】
下側ハウジング１１に取り付け部を設ける場合には、取り付け部８の位置と中間埋設部３ｃの位置が一体ケース１０の側方から見て重ならないように設計を行う必要があった。しかし、上側カバー１２に取り付け部８を設けることによって、取り付け部８の位置と中間埋設部３ｃの位置を重ねられるので、設計の自由度を高めることができる。
【００５３】
本実施形態の防水ジャック１において、下側ハウジング１１と上側カバー１２とを溶着により取り付けて、プラグを前側から挿入するための前側開口を除き収納空間１ｂが密閉されている。
【００５４】
この構成によれば、前側開口から収納空間１ｂに侵入した水が収納空間１ｂの外部に漏洩することがなく、基板等の取り付け対象の防水性能を高めることができる。
【００５５】
以上のように、本発明の実施形態の防水ジャック１を具体的に説明したが、本発明は上記の実施形態に限定されるものではなく、要旨を逸脱しない範囲で種々変更して実施することが可能である。例えば次のように変形して実施することができ、これらも本発明の技術的範囲に属する。
【００５６】
（１）本実施形態において、補強部材４０は取り付け部８の位置で切り欠きが形成されているが、取り付け部８の形状に合わせて取り付け部８を覆うように側方に突出する突出部を設けるように変更してもよい。この場合、取り付け部８を基板等に取り付ける際に、側方に突出した突出部を一体に取り付けるようにすることができる。こうすれば、補強部材４０は、下側ハウジング１１と上側カバー１２との溶着を補強する機能に加えて、取り付け部８の取り付けを補強するように機能する。
【００５７】
（２）本実施形態において、一体ケース１０の側方から見て取り付け部８の位置を導電端子３の中間埋設部３ｃの位置に重なるように形成しているが、この位置に限定されず、他の位置に形成してもよい。合成樹脂の成形は、肉厚になる取り付け部８の位置で熱収縮が大きくなるが、取り付け部８が上側カバー１２に設けられていれば、取り付け部８の位置に関係なく、導電端子３の中間埋設部３ｃとの間で隙間を発生させることが抑制される。
【００５８】
（３）本実施形態において、取り付け部８ａ、８ｂは、外壁面に沿って下方に延設される第１延設部８１ａ、８１ｂを備える構成としたが、これに限定されず、側方に延設された第２延設部８２ａ、８２ｂのみを備える構成であってもよい。また、本実施形態において、一方の取り付け部８ａおよび他方の取り付け部８ｂを備える構成としたが、いずれか一方だけを備える構成であってもよい。また、３つ以上の取り付け部を設けてもよい。
【符号の説明】
【００５９】
１      防水ジャック
１ａ    挿入用開口部
１ｂ    収納空間
１ｇ    環状圧接面
３      導電端子
３ｂ    内端部
３ｃ    中間埋設部
３ｄ    外端部
４      弾性シールリング
８、８ａ、８ｂ  取り付け部
１０    一体ケース
１１    下側ハウジング
１１ａ  前側開放部
１１ｂ  上側開放部
１１ｃ、１１ｄ  側壁部
１１ｅ  後壁部
１１ｆ  底部
１１ｇ  ハウジング側圧接面
１１ｈ  前端部
１１ｋ  段差部
１１ｍ  段差面
１１ｎ  係止突起
１２    上側カバー
１２ｇ  カバー側圧接面
１２ｈ  前端部
１３    キャップ部
１３ａ  環状部
２０    インナー部材
４０    補強部材
４０ｎ  係止孔
８１ａ、８１ｂ  第１延設部
８２ａ、８２ｂ  第２延設部
【図１】
2016018599.tif 000003
【図２】
2016018599.tif 000004
【図３】
2016018599.tif 000005
【図４】
2016018599.tif 000006
【図５】
2016018599.tif 000007
【図６】
2016018599.tif 000008
【図７】
2016018599.tif 000009
【図８】
2016018599.tif 000010
【図９】
2016018599.tif 000011
【図１０】
2016018599.tif 000012
【図１１】
2016018599.tif 000013
【図１２】
2016018599.tif 000014
【図１３】
2016018599.tif 000015